(57)【特許請求の範囲】
【請求項１】
ディフューズ板と、その上端辺から折目を介して延出された係止板とを有する弾性板からなるディフューザーと、
基板から折目を介して起立板を起立し、該起立板から折目を介して傾斜板を山形に折り下げ、折り下げ端部を上記基板に接合して山形突起を形成すると共に、該山形突起に締着バンドを備えた弾性板からなるベース板と、を具備し、
カメラボディの上面部に設けられた内蔵ストロボのケース台からストロボ発光部を先端に有するキャップを上方へ開いて、そのストロボ発光部を前方へ向けて立ち上げたカメラに対し、
上記ベース板を上記ストロボケース台上に水平に載置した状態で、上記山形突起を上記締着バンドにて上記キャップに着脱自在に締着し、
上記ディフューズ板を、上記ストロボ発光部の前側に小間隔をあけて対面させた状態で、該ディフューズ板下端部を係止具にて上記基板に係脱自在に係止すると共に、上記係止板先端部を上記締着バンドを兼用して上記キャップに着脱自在に締着した、
カメラの内蔵ストロボ用ディフューザー。
【発明の詳細な説明】
【技術分野】
【０００１】
本願発明は、内臓ストロボつき一眼レフカメラにおいて、ストロボの発光を拡散して被写体に生じる陰影を和らげるためカメラに着脱自在に取りつけるディフューザーに関する。
【背景技術】
【０００２】
従来、この種のディフューザーとして、ほぼ２０〜３０ｃｍ径の円形枠内に布製のディフューズシートを張設してディフューズ板を形成し、該ディフューズ板の偏心位置に弾性取付窓を形成した構造のもので、使用においては、カメラレンズ筒の先端部に筒状フードを被嵌し、該フードの先端部に、上記ディフューザーの弾性取付窓を弾性的に被着して、そのディフューズシートを、ストロボ発光部に対し約１０〜１２ｃｍの間隔をあけて対面させ、上記発光部からの発光をディフューズシートで拡散して前方へ照射するものが、すでに広く知られている。
【０００３】
しかし、上記の従来ディフューザーは、ディフューズ板が相当広いディフューズ面積を有するものであるため、カメラレンズ筒先端部に取りつけたとき、不安定で、外観が極めて悪い欠点があり、しかも接写レンズ筒等に交換する場合、ディフューザーも新たなレンズ筒に付け替えなければならない不便があった。
【発明の開示】
【発明が解決しようとする課題】
【０００４】
本願発明は、ディフューズ板の板面積を従来よりも狭小にし、それによりディフューザーをカメラに取りつけた際の安定感及び外観を向上させると共に、レンズ筒の交換が自由にできるディフューザーを提供することを課題とする。
【課題を解決するための手段】
【０００５】
上記課題を解決する手段として、本願発明は、
ディフューズ板と、その上端辺から折目を介して延出された係止板とを有する弾性板からなるディフューザーと、
基板から折目を介して起立板を起立し、該起立板から折目を介して傾斜板を山形に折り下げ、折り下げ端部を上記基板に接合して山形突起を形成すると共に、該山形突起に締着バンドを備えた弾性板からなるベース板と、を具備し、
カメラボディの上面部に設けられた内蔵ストロボのケース台からストロボ発光部を先端に有するキャップを上方へ開いて、そのストロボ発光部を前方へ向けて立ち上げたカメラに対し、
上記ベース板を上記ストロボケース台上に水平に載置した状態で、上記山形突起を上記締着バンドにて上記キャップに着脱自在に締着し、
上記ディフューズ板を、上記ストロボ発光部の前側に小間隔をあけて対面させた状態で、該ディフューズ板下端部を係止具にて上記基板に係脱自在に係止すると共に、上記係止板先端部を上記締着バンドを兼用して上記キャップに着脱自在に締着した、
カメラの内蔵ストロボ用ディフューザーを提案する。
【０００６】
本願発明においては、ディフューズ板とストロボ発光部との間隔は大幅に短縮できるが、図示の例では、５〜７ｃｍである。
【発明の効果】
【０００７】
本願発明によれば、山形突起のベース板は、弾性板を折目を介して三角形山形に折り立てて接合したものであるから、構造上けんろうなものとなり、従ってベース板は小型のもので足りるから、それに支持させるべきディフューズ板は、ストロボ発光部に近い位置に取りつけることができ、それによりディフューズ板面積を従来品よりも縮小することが可能となる。しかも、上記山形構造は弾性板からなるものであっても形が崩れにくく安定性がよいから、それに取りつけたディフューザーを定位置から外れることなく安定的に担持することができると共に、外観を向上させるのである。
【０００８】
また、カメラのレンズ筒交換は、ディフューズ板がストロボ発光部に近い位置に取りつけられるから、支障なく自由に行うことができる便利さがある。
【０００９】
さらに、本願発明では、まず、山形ベース板をカメラに取りつけ、そのベース板上にディフューザーを着脱自在に支持させる構成を採ったから、拡散能力の異なる複数枚のディフューザーを用意しておき、撮影条件に応じて所要の拡散能力を有するディフューザーを選択使用してイメージ通りの写真を撮ることができるようになり、その際ベース板は１つ、ディフューザーだけ複数枚用意すればよいので経済的にも有利である。
【発明を実施するための最良の形態】
【００１０】
本願発明における上記「弾性板からなるディフューズ板」は、ポリプロピレン系樹脂、ポリアミド系樹脂等の弾性合成樹脂、その他種々の弾性板に、拡散能力のある各種塗料を塗布又は印刷したもの、その他種々の拡散能力を有する弾性板が使用される。
【００１１】
また、上記「接合又は係止」には、いわゆるマジックテープ（登録商標）、スナップボタン、その他各種の係止具が使用される。
【実施例】
【００１２】
以下図面を参照して本願発明の実施例について詳述する。まず、一眼レフカメラの内蔵ストロボについて簡単に説明する。図４において、カメラボディ（１）の上面部に内蔵ストロボ（２）が設けられ、該ストロボ（２）は、ケース台（３）の後端部に、先端にストロボ発光部（５）を有するキヤップ（４）が、その基端部において揺動開閉自在に軸支され、該キャップ（４）は閉止時に上記ケース台（５）上に倒伏しているが、ボディ（１）に設けられたボタンを押すと、該キャップ（４）が図４の位置に弾発的に立ち上って、先端のストロボ発光部（５）を前方へ向けた発光態勢をとるものである。
【００１３】
なお、上記キャップ（４）の中間部には、前後に貫通する窓（６）（図４参照）が設けられている。（７）はレンズ筒、（８）はフードである。
【００１４】
ディフュザー（９）は、ポリプロピレン樹脂製の弾性板からなり、図１に示すように拡散剤塗料を塗布したやや横長の矩形状ディフューズ板（１０）と、その上端辺から折目（１１）を境に、ほぼ三角形板状に先細る係止板（１２）とからなり、上記ディフューズ板（１０）の下端中央部に、折目（１３）を境に小幅の連結片（１４）を形成し、該連結片に、スナップボタンのオスボタン（１５）、（１５）を取りつけてある。
【００１５】
上記係止板（１２）は、上記ディフューズ板（１０）を後述のようにキャップ（４）のストロボ発光部の前方に起立させたとき、上記キャップ（４）の後面に達する程度の前後長に形成してあり、その係止板（１２）の延長端部に、上記ストロボキャップ（４）の後面に当接できる小幅の連結片（１６）を延出し、該連結片（１６）に、マジックテープのフック側テープ（１７）を固着してある。
【００１６】
上記ディフューザー（９）を取りつけるべきベース板（１８）はポリプロピレン樹脂製弾性板からなり、図２（イ）に示すように、長方形板のほぼ中間位置に折目（１９）を設けて一端がわに基板（２０）を形成し、該基板（２０）の中央部にマジックテープのフック側テープ（２１）を、先端部にスナップボタンのメスボタン（１５ａ）、（１５ａ）を取りつけてある。
【００１７】
上記折目（１９）を境に反対側には、長さの短い起立板（２２）を、該起立板（２２）と折目（２３）を境に傾斜板（２４）を、さらに傾斜板（２４）と折目（２５）を境に長さの短い水平板（２６）を順次連設し、上記起立板（２２）に、ゴム入り伸縮布バンドからなる締着バンド（２７）を取りつけ、該締着バンド（２７）の一端部（図２の左側端部）の両面に、マジックテープのループ側テープ（１７ａ）、（１７ａ）を固着し、他端部の片面に、フック側テープ（１７ｂ）をそれぞれ固着してある。上記傾斜板（２４）には、折目（２３）を境にコ字状の切り目（２８）を入れ、又上記水平板（２６）にマジックテープのループ側テープ（２１ａ）を固着してある。
【００１８】
上記のような構成のベース板（１８）において、上記起立板（２２）を折目（１９）を介して起立し、ついで傾斜板（２４）を折目（２３）を介して山形に折り下げ、その状態で、水平板（２６）のループ側テープ（２１ａ）を基板（２０）のフック側テープ（２１）に接合し、それにより図２（ロ）のように起立板（２２）と傾斜板（２４）からなる山形突起（Ｒ）を基板（２０）の後端部上に突設することとなる。上記山形突条（Ｒ）の稜線には、上記切り目（２３）に沿って係止突片（２９）を突出させる。
【００１９】
上記ディフューザー（９）及びベース板（１８）を用いて、ディフューズ板（１０）をストロボ部分に取りつける例について次に説明する。まず、カメラのストロボキャップ（４）を立ち上げ、そのストロボ発光部（５）を前方へ向けた状態に起立させる。
【００２０】
次に、図２（ロ）のように組立てられたベース板（１８）に対し、図１のディフューザー（９）の連結片（１４）を折目（１３）から内側に折り曲げて、そのスナップオスボタン（１５）、（１５）を、基板（２０）のスナップメスボタン（１５ａ）、（１５ａ）に係止し、それによりベース板（１８）にディフューザー（９）を連結する。
【００２１】
次に、上記連結体の基板（２０）を図４のようにケース台（３）上に水平に載置し、ついで起立板（２２）の後面をキャップ（４）前面に当接すると共に、係止突片（２９）を上記キャップ（４）の窓（６）に挿入して、上記起立板（２２）の上方への離脱を抑止する。
【００２２】
その状態で、ディフューザー（９）の係止板（１２）を若干下方へ弾性的に湾曲しつつ、その先端の連結片（１６）を上記キャップ（４）の背面に当接し、その状態で、ベース板（１８）の締着バンド（２７）におけるループ側テープ（１７ａ）、（１７ａ）を両面に有する一端部分を上記連結片（１６）上に締着しつつ、フック側テープ（１７）にループ側テープ（１７ａ）を接合し、その上に締着バンド（２７）の他端部分を締着しつつ、上記ループ側テープ（１７ａ）にフック側テープ（１７ｂ）を接合すれば、上記起立板（２２）及び傾斜板（２４）からなる山形突条（Ｒ）と係止板（１２）の連結片（１６）とが締着バンド（２７）によりストロボキャップ（４）に締着固定される。
【００２３】
かくして、ディフューザー（９）は、上記ベース板（１８）上において、ディフューズ板（１０）をストロボ発光部（５）の前方に、それと対面させた状態で、しっかりと保持されることとなる。
【００２４】
ストロボ発光部（５）から所定のストロボ発光を行えば、その発光はディフューズ板（１０）により拡散され、拡散光として前方へ照射させる。
【００２５】
拡散能力の異る複数のディフューザーを用意し、そのうちの所望のディフューザーを使用したい場合は、上記締着バンド（２７）を外し、ベース板（１８）に新たなディフューザー（９）を同様に付け替えればよい。
【図面の簡単な説明】
【００２６】
【図１】本願発明におけるディフューザーの斜面図である。
【図２】（イ）ベース板の展開状態の斜面図である。                                    （ロ）同上組立て状態の斜面図である。
【図３】ベース板にディフューズ板を連結した状態の側面図である。
【図４】カメラにディフューザーを取りつけた状態の側面図である。
【符号の説明】
【００２７】
１  カメラボディ
２  内蔵ストロボ
３  ケース台
４  キャップ
５  ストロボ発光部
９  ディフューザー
１０  ディフューズ板
１２  係止板
１８  ベース板
２０  基板
２２  起立板
２４  傾斜板
Ｒ  山形突起 
２７  締着バンド
【図１】
0004615006.tif 000002
【図２】
0004615006.tif 000003
【図３】
0004615006.tif 000004
【図４】
0004615006.tif 000005